(57)【要約】【課題】所望のコンテンツを迅速にディスプレイに表示させることができる表示方法、情報端末、及び表示プログラムを提供する。【解決手段】携帯端末３は、所望の情報を含む画像を要求する要求パケットを、サーバに対して送信する。サーバは、要求された画像（表示画像）と、テンキーの操作案内を示す画像（対応画像）とを、携帯端末３に対して返信する。携帯端末３は、受信した表示画像をディスプレイ１７に表示する。所定のテンキーが押下された場合、対応画像３５が店舗画像３４に重ねて表示される。対応画像３５は、テンキーの配列を示すキー画像３５１、及び、テンキーに割り当てられている関連情報の内訳を示す内訳画像３５２とを備えている。ユーザは、対応画像３５に基づいて関連情報を選択し、対応するテンキーを押下することで、所望の画像をディスプレイ１７に表示できる。【選択図】図６
2012098976.tif 000002
【特許請求の範囲】
【請求項１】
各種のコンテンツが表示される表示部と、テンキー及び各種機能キーを含む入力部とを備えた情報端末において実行される表示方法であって、
前記コンテンツのうち一である第一コンテンツを、前記表示部に表示する第一表示制御ステップと、
前記第一コンテンツとは異なるコンテンツである第二コンテンツと、前記入力部を介して入力可能な情報であるキー情報との対応関係を示す対応画像を、前記第一表示制御ステップによって表示された前記第一コンテンツに重ねて表示する第二表示制御ステップと、
前記第二表示制御ステップによって、前記第一コンテンツに前記対応画像が重ねて表示された状態で、前記入力部を介して入力された前記キー情報を取得する取得ステップと、
前記取得ステップによって取得された前記キー情報に対応する前記第二コンテンツを、前記表示部に表示する第三表示制御ステップと
を備えたことを特徴とする表示方法。
【請求項２】
前記第二表示制御ステップでは、
前記入力部を介して特定の前記キー情報が入力された場合に、前記対応画像を表示することを特徴とする請求項１に記載の表示方法。
【請求項３】
前記第二表示制御ステップでは、
前記対応画像の上から前記第一コンテンツが透けて見えるように、前記対応画像を前記第一コンテンツに重ねて表示することを特徴とする請求項１又は２に記載の表示方法。
【請求項４】
前記対応画像は、
前記入力部が備えるキーの配列を示す画像に、前記第二コンテンツを特定する情報が対応付けられた態様を備えていることを特徴とする請求項１から３のいずれかに記載の表示方法。
【請求項５】
前記第一コンテンツ及び前記対応画像をサーバから受信する受信ステップを備え、
前記第一表示制御ステップでは、
前記受信ステップによって受信された前記第一コンテンツを前記表示部に表示し、
前記第二表示制御ステップは、
前記受信ステップによって受信された前記対応画像を、前記第一コンテンツに重ねて表示することを特徴とする請求項１から４のいずれかに記載の表示方法。
【請求項６】
各種のコンテンツが表示される表示部と、
テンキー及び各種機能キーを備えた入力部と、
前記コンテンツのうち一である第一コンテンツを、前記表示部に表示する第一表示制御手段と、
前記第一コンテンツとは異なるコンテンツである第二コンテンツと、前記入力部を介して入力可能な情報であるキー情報との対応関係を示す対応画像を、前記第一コンテンツに重ねて表示する第二表示制御手段と、
前記第二表示制御手段によって、前記第一コンテンツに前記対応画像が重ねて表示された状態で、前記入力部を介して入力された前記キー情報を取得する取得手段と、
前記取得手段によって取得された前記キー情報に対応する前記第二コンテンツを、前記表示部に表示する第三表示制御手段と
を備えた情報端末。
【請求項７】
請求項１から５のいずれかに記載の各処理ステップとしてコンピュータを機能させるための表示プログラム。
【発明の詳細な説明】
【技術分野】
【０００１】
本発明は、表示方法、情報端末、及び表示プログラムに関する。より詳細には、Ｗｅｂコンテンツを表示する表示方法、情報端末、及び表示プログラムに関する。
【背景技術】
【０００２】
携帯端末（携帯電話等）の専用Ｗｅｂコンテンツでは、通常、リンク情報が埋め込まれたテキストがリスト状に並べて描画される。ユーザは、操作キーを押下してカーソルを移動させ、所望するテキストにカーソルを重ねる。続いてユーザは、決定キーを選択する。これによって携帯端末のディスプレイには、リンク情報に対応するＷｅｂコンテンツが新たに表示される。ユーザは、所望するＷｅｂコンテンツを閲覧できる。
【０００３】
一方、リンク情報と操作キーとが予め１対１で対応付けられているＷｅｂコンテンツもある。ユーザは、操作キーを選択することで、所望のＷｅｂコンテンツを選択できる。ユーザは、操作キーを何度も押下してカーソルを移動させる操作を行わずに、所望のＷｅｂコンテンツを素早くディスプレイに表示させることができる。ここで、例えば特許文献１に記載された技術を用いることで、リンク情報と操作キーとの対応関係を示す画像をディスプレイに描画することも可能である。ユーザは、リンク情報と操作キーとの対応関係を明確に把握し、所望するＷｅｂコンテンツをディスプレイに表示させることができる。
【先行技術文献】
【特許文献】
【０００４】
【特許文献１】特開２００８−１７２８４１号公報
【発明の概要】
【発明が解決しようとする課題】
【０００５】
しかしながら上述の場合、予めリンク情報と操作キーとの対応関係を示す画像を別途ディスプレイに表示させなければならない。このため、該画像を表示させるために時間を要してしまうので、ユーザは、所望のウェブコンテンツを迅速にディスプレイに表示させることができないという問題点がある。
【０００６】
本発明の目的は、所望のウェブコンテンツを迅速にディスプレイに表示させることができる表示方法、情報端末、及び表示プログラムを提供することにある。
【課題を解決するための手段】
【０００７】
本発明の第一態様に係る表示方法は、各種のコンテンツが表示される表示部と、テンキー及び各種機能キーを含む入力部とを備えた情報端末において実行される表示方法であって、前記コンテンツのうち一である第一コンテンツを、前記表示部に表示する第一表示制御ステップと、前記第一コンテンツとは異なるコンテンツである第二コンテンツと、前記入力部を介して入力可能な情報であるキー情報との対応関係を示す対応画像を、前記第一表示制御ステップによって表示された前記第一コンテンツに重ねて表示する第二表示制御ステップと、前記第二表示制御ステップによって、前記第一コンテンツに前記対応画像が重ねて表示された状態で、前記入力部を介して入力された前記キー情報を取得する取得ステップと、前記取得ステップによって取得された前記キー情報に対応する前記第二コンテンツを、前記表示部に表示する第三表示制御ステップとを備えている。
【０００８】
第一態様によれば、対応画像は第一コンテンツに重ねて表示される。ユーザは、所望の第二コンテンツを表示させるための操作内容を、対応画像を視認することで容易に確認できる。またユーザは、速やかに所望の第二コンテンツを表示部に表示させることができる。
【０００９】
また、第一態様において、前記第二表示制御ステップでは、前記入力部を介して特定の前記キー情報が入力された場合に、前記対応画像を表示してもよい。これによってユーザは、対応画像が必要な場合にのみ、対応画像を第一コンテンツに重ねて表示させることができる。対応画像が不要な場合には、対応画像は表示部に表示されないので、第一コンテンツの視認性を良好に維持できる。
【００１０】
また、第一態様において、前記第二表示制御ステップでは、前記対応画像の上から前記第一コンテンツが透けて見えるように、前記対応画像を前記第一コンテンツに重ねて表示してもよい。ユーザは、第一コンテンツと対応画像との両方を同時に認識できる。ユーザは、第一コンテンツを参照して第二コンテンツを選択すると同時に、決定した第二コンテンツを表示させるためのキーを、対応画像に基づいて特定できる。
【００１１】
また、第一態様において、前記対応画像は、前記入力部が備えるキーの配列を示す画像に、前記第二コンテンツを特定する情報が対応付けられた態様を備えていてもよい。これによってユーザは、入力部と第二コンテンツとの対応関係を感覚的に認識できるので、所望する第二コンテンツに対応するキー情報を容易に特定できる。
【００１２】
また、第一態様において、前記第一コンテンツ及び前記対応画像をサーバから受信する受信ステップを備え、前記第一表示制御ステップでは、前記受信ステップによって受信された前記第一コンテンツを前記表示部に表示し、前記第二表示制御ステップは、前記受信ステップによって受信された前記対応画像を、前記第一コンテンツに重ねて表示してもよい。情報端末は、第一コンテンツと対応画像とを予めサーバから受信しておくことができる。従って、情報端末は迅速に対応画像を表示部に表示できる。
【００１３】
本発明の第二態様に係る情報端末は、各種のコンテンツが表示される表示部と、テンキー及び各種機能キーを備えた入力部と、前記コンテンツのうち一である第一コンテンツを、前記表示部に表示する第一表示制御手段と、前記第一コンテンツとは異なるコンテンツである第二コンテンツと、前記入力部を介して入力可能な情報であるキー情報との対応関係を示す対応画像を、前記第一コンテンツに重ねて表示する第二表示制御手段と、前記第二表示制御手段によって、前記第一コンテンツに前記対応画像が重ねて表示された状態で、前記入力部を介して入力された前記キー情報を取得する取得手段と、前記取得手段によって取得された前記キー情報に対応する前記第二コンテンツを、前記表示部に表示する第三表示制御手段とを備えている。
【００１４】
第二態様によれば、対応画像は第一コンテンツに重ねて表示される。ユーザは、所望の第二コンテンツを表示させるための操作内容を、対応画像を視認することで容易に確認できる。またユーザは、速やかに所望の第二コンテンツを表示部に表示させることができる。
【００１５】
本発明の第三態様に係る表示プログラムは、前記表示方法の各処理ステップとしてコンピュータを機能させる。これによって、対応画像は第一コンテンツに重ねて表示される。ユーザは、所望の第二コンテンツを表示させるための操作内容を、対応画像を視認することで容易に確認できる。またユーザは、速やかに所望の第二コンテンツを表示部に表示させることができる。
【図面の簡単な説明】
【００１６】
【図１】通信システム１の概要を示す模式図である。
【図２】ディスプレイ１７に表示される画像の一例を示す図である。
【図３】ディスプレイ１７に表示される画像の一例を示す図である。
【図４】ディスプレイ１７に表示される画像の一例を示す図である。
【図５】ディスプレイ１７に表示される画像の一例を示す図である。
【図６】ディスプレイ１７に表示される画像の一例を示す図である。
【図７】ディスプレイ１７に表示される画像の一例を示す図である。
【図８】携帯端末３の電気的構成を示すブロック図である。
【図９】サーバ２の電気的構成を示すブロック図である。
【図１０】端末メイン処理を示すフローチャートである。
【図１１】サーバメイン処理を示すフローチャートである。
【発明を実施するための形態】
【００１７】
以下、本発明の一実施形態について、図面を参照して説明する。これらの図面は、本発明が採用しうる技術的特徴を説明するために用いられるものである。記載されている装置の構成、各種処理のフローチャート等は、それのみに限定する趣旨ではなく、単なる説明例である。
【００１８】
図１を参照し、通信システム１の概要について説明する。図１に示すように、通信システム１は、サーバ２、及び携帯端末３を少なくとも備えている。サーバ２及び携帯端末３は、ネットワーク４を介して通信を行うことができる。サーバ２は、携帯端末３のディスプレイ１７に表示させるコンテンツを記憶している。サーバ２は、携帯端末３からの要求に応じ、ネットワーク４を介してコンテンツを携帯端末３に提供できる。携帯端末３は、コンテンツをディスプレイ１７に表示させるための入力操作がテンキー１６（「１」〜「０」「＊」「＃」）を介してなされた場合に、サーバ２に対してコンテンツを要求する。携帯端末３は、サーバ２から受信したコンテンツをディスプレイ１７に表示できる。サーバ２として、周知のＷｅｂサーバが使用できる。携帯端末３として、周知の携帯電話が使用できる。
【００１９】
図２から図７を参照し、携帯端末３のディスプレイ１７に表示されるコンテンツの表示態様の一例について説明する。携帯端末３のテンキー１６がユーザによって操作されることで、所定のＵＲＬ（Uniform Resource Locator）が選択される。なおＵＲＬの選択操作は、テンキー１６を介した入力操作に限定されない。例えば、携帯端末３が備えるカメラによって二次元バーコードを撮影することで、所定のＵＲＬが選択されてもよい。選択されたＵＲＬに該当するコンテンツを要求するパケット（以下「要求パケット」という。）が、携帯端末３からサーバ２に対して送信される。サーバ２は、携帯端末３から要求されたコンテンツを、携帯端末３に対して送信する。携帯端末３は、サーバ２からコンテンツを受信する。携帯端末３は、受信したコンテンツをディスプレイ１７に表示する。図２では、検索キーワードを入力するための入力画像３１が表示されている。
【００２０】
例えば、入力画像３１に対して「飲食店」「エリア」「ジャンル」等のキーワードが入力され、検索ボタンが押下されたとする。入力されたキーワードは、携帯端末３からサーバ２に対して送信される。サーバ２は、キーワードを受信する。サーバ２は、受信したキーワードに合致する店の名前（店名）の情報を、データベースから検索する。検索された店名を含む画像（以下「店名画像」という。）が、サーバ２から携帯端末３に対して送信される。店名が複数ある場合、複数の店名を含む店名画像が送信される。
【００２１】
ここで本実施の形態では、サーバ２は、テンキー１６の操作案内を示す画像を、店名画像と共に携帯端末３に対して送信する。操作案内を示す画像は、テンキー１６を構成する各キーと、関連情報（例えば、店舗詳細情報、電話番号、地図、最近のニュースなど）とが対応付けられた態様を有している。操作案内を示す画像を、以下「対応画像」という。対応画像の詳細は後述する。
【００２２】
携帯端末３は、店名画像と対応画像とを受信する。携帯端末は、受信した店名画像をディスプレイ１７に表示する。図３では、店名画像３２がディスプレイ１７に表示されている。店名が複数ある場合、複数の店名はリスト状に配置される。ユーザは、ディスプレイ１７を視認することで、自身が入力したキーワードに合致する店名を認識できる。
【００２３】
ユーザは、ディスプレイ１７に店名画像３２が表示された状態で、テンキー１６のうち「１」を押下する。図４に示すように、携帯端末３のディスプレイ１７には、対応画像３３が店名画像３２の上に重ねて表示される。対応画像３３は、テンキー１６の配列「１」〜「０」「＊」「＃」を示す複数の四角形状の画像（以下「キー画像」という）３３１を備えている。キー画像３３１は、横方向に三つ、縦方向に四つ、マトリクス状に配置されている。最上段に配置するキー画像３３１が、テンキー１６の「１」「２」「３」に其々相当する。次段に配置するキー画像３３１が、テンキー１６の「４」「５」「６」に其々相当する。次段に配置するキー画像３３１が、テンキー１６の「７」「８」「９」に其々相当する。次段に配置するキー画像３３１が、テンキー１６の「＊」「０」「＃」に其々相当する。其々のキー画像３３１には、表示中の店名画像３２に関連する関連情報の内訳をテキストで示した内訳画像３３２が対応付けられている。
【００２４】
なお、図４ではテンキー１６の配列「１」〜「０」「＊」「＃」を示すキー画像３３１に、関連情報の内訳を示す内訳画像３３２が対応付けられていた。しかしながら本発明はこれに限定されない。キー画像３３１はさらに、十字キー等の機能キーを示す画像を備えていてもよい。
【００２５】
テンキー１６のうち「５」がユーザによって押下されたとする。「５」には、「店舗情報」が対応付けられている。「店名１」にて特定される店の店舗情報を要求する要求パケットが、携帯端末３からサーバ２に対して送信される。
【００２６】
サーバ２は、携帯端末３からの要求パケットを受信する。サーバ２は、携帯端末３から要求された店舗情報を含む画像（以下「店舗画像」という。）を、対応画像と共に携帯端末３に対して送信する。店舗画像とともに送信される対応画像は、店舗情報に関連する関連情報を閲覧するための操作を案内するためのものである。携帯端末３は、店舗画像と対応画像とを受信する。携帯端末３は、受信した店舗画像をディスプレイ１７に表示する。図５では、店舗画像３４がディスプレイ１７に表示されている。ユーザは、ディスプレイ１７を視認することで、自身が要求した「店名１」の店の店舗情報（ジャンル、メニュー概要、営業時間など）を認識できる。
【００２７】
ユーザは、店舗画像３４がディスプレイ１７に表示された状態で、テンキー１６のうち「１」を押下する。図６に示すように、携帯端末３のディスプレイ１７には、対応画像３５が店舗画像３４の上に重ねて表示される。対応画像３５は、「５」の位置にあるキー画像３５１に対応付けられている内訳画像３５２を除き、対応画像３３（図４参照）と同一である。「５」の位置にあるキー画像３５１には、「メニュー」のテキスト画像からなる内訳画像３５２が対応付けられている。対応画像３５は、店舗画像３４が透けて見えるように、店舗画像３４に重ねて表示されている。
【００２８】
テンキー１６のうち「５」が再びユーザによって押下されたとする。「５」には「メニュー」が対応付けられている。「店名１」にて特定される店のメニューを要求する要求パケットが、携帯端末３からサーバ２に対して送信される。サーバ２は、携帯端末３から要求されたメニューをの情報を含む画像（以下「メニュー画像」という。）を、対応画像と共に携帯端末３に対して送信する。送信される対応画像は、メニューに関連する関連情報を閲覧するための操作を案内するためのものである。携帯端末３は、メニュー画像と対応画像とを受信する。携帯端末３は、受信したメニュー画像をディスプレイ１７に表示する。図７では、メニュー画像３６がディスプレイ１７に表示されている。ユーザは、ディスプレイ１７を視認することで、自身が要求した「店名１」の店のメニューを認識できる。
【００２９】
以上のように、対応画像がディスプレイ１７に表示されることで、ユーザは、関連情報をディスプレイ１７に表示させるための操作方法を容易に認識できる。携帯端末３では、ユーザが要求する情報を含む画像（入力画像、店名画像、店舗画像、メニュー画像等、以下「表示画像」という。）と共に、関連情報を閲覧するための操作を案内する対応画像をサーバ２から受信する。従って、対応画像の表示指示が入力された場合であっても、携帯端末３は迅速に対応画像をディスプレイ１７に表示させることができる。これによってユーザは、関連情報を含む画像を迅速にディスプレイ１７に表示させることができる。
【００３０】
対応画像は、ディスプレイ１７に表示されている状態の表示画像が透けて見えるように、表示画像上に重ねて表示される。従ってユーザは、表示画像と対応画像との両方を同時に参照することができる。対応画像を表示させるための領域を、表示画像に別途確保する必要がない。また対応画像は、テンキー１６の配列を示すキー画像を備えているので、ユーザは、関連情報とキーとを感覚的に認識できる。ユーザは、所望の関連情報を容易に選択してディスプレイ１７に表示させることができる。
【００３１】
ユーザは、対応画像が必要な場合に、テンキー１６のうち「１」を押下することで対応画像をディスプレイ１７に表示させることができる。対応画像が不要な場合には、対応画像は表示部に表示されないので、表示画像の視認性を良好に維持できる。
【００３２】
なお上述では、対応画像がディスプレイ１７に表示された状態でテンキー１６が押下された場合に、対応する関連情報を含む画像がサーバ２から取得され、ディスプレイ１７に表示されていた。本発明はこれに限定されない。対応画像がディスプレイ１７に表示されない状態でテンキー１６が押下された場合でも、携帯端末３は、対応する関連情報を含む画像をサーバ２から取得し、ディスプレイ１７に表示してもよい。
【００３３】
図８を参照し、携帯端末３の電気的構成について説明する。携帯端末３は、ＣＰＵ１１、ＲＯＭ１２、ＲＡＭ１３、フラッシュメモリ１４、及び通信部１５を備えている。ＣＰＵ１１は、携帯端末３全体の動作を制御する。ＲＯＭ１２には、ＣＰＵ１１のプログラムが記憶される。ＲＡＭ１３には、プログラムで使用される各種の情報が一時的に記憶される。フラッシュメモリ１４には、サーバ２から受信したコンテンツが記憶される。通信部１５は、ネットワーク４（図１参照）を介してサーバ２と通信を行う場合の同期制御を行う。ＣＰＵ１１は、ＲＯＭ１２、ＲＡＭ１３、フラッシュメモリ１４、及び通信部１５と電気的に接続している。
【００３４】
携帯端末３は、入力部２０、ディスプレイ１７、スピーカ１８、及びマイク１９を備えている。入力部２０は、テンキー１６（図１参照）及び機能キー２１を備えている。入力部２０は、ユーザからの指示を受け付ける押しボタンである。ディスプレイ１７は、所望の画像を表示できるＬＣＤである。ＣＰＵ１１は、入力部２０、ディスプレイ１７、スピーカ１８、及びマイク１９と電気的に接続している。
【００３５】
図９を参照し、サーバ２の電気的構成について説明する。サーバ２は、ＣＰＵ２１、ＲＯＭ２２、ＲＡＭ２３、ハードディスクドライブ（ＨＤＤ）２４、及び通信部２５を備えている。ＣＰＵ２１は、サーバ２全体の動作を制御する。ＲＯＭ２２には、ブートプログラムやＢＩＯＳが記憶される。ＲＡＭ２３には、プログラムで使用される各種の情報が一時的に記憶される。ＨＤＤ２４には、ＯＳやＣＰＵ１１のプログラムが記憶される。またＨＤＤ２４には、携帯端末３に提供するコンテンツのデータベースが記憶される。データベースには、表示画像と対応画像とが関連付けられて格納されている。通信部２５は、ネットワーク４（図１参照）を介して携帯端末３と通信を行う場合の同期制御を行う。ＣＰＵ２１は、ＲＯＭ２２、ＲＡＭ２３、ＨＤＤ２４、及び通信部２５と電気的に接続している。
【００３６】
図１０を参照し、携帯端末３のＣＰＵ１１において実行される端末メイン処理について説明する。端末メイン処理は、ユーザによってサーバ２へのアクセスを指示する入力操作が実行された場合において、ＣＰＵ１１において起動され実行される。
【００３７】
端末メイン処理では、はじめに、ユーザによって所望のＵＲＬが選択される。選択されたＵＲＬに対応する表示画像の取得を要求する要求パケットが、サーバ２に対して送信される（Ｓ１１）。サーバ２は、要求パケットを受信する。サーバ２は、ＨＤＤ２４に記憶されたデータベースから、要求された表示画像を抽出する。サーバ２は、取得された表示画像に関連付けられている対応画像を抽出する。サーバ２は、取得された表示画像及び対応画像を携帯端末３に対して送信する。携帯端末３は、表示画像及び対応画像を受信する（Ｓ１３）。受信された表示画像は、ディスプレイ１７に表示される（Ｓ１５）。
【００３８】
テンキー１６を介して何らかの入力操作がなされたかが判断される（Ｓ１７）。入力操作がなされていない場合（Ｓ１７：ＮＯ）、処理はＳ１７に戻る。入力操作がなされた場合（Ｓ１７：ＹＥＳ）、ディスプレイ１７への画像の表示処理を終了させる指示が入力されたかが判断される（Ｓ１９）。表示処理を終了させる指示が入力された場合（Ｓ１９：ＹＥＳ）、端末メイン処理は終了する。
【００３９】
表示処理を終了させる指示が入力されていない場合（Ｓ１９：ＮＯ）、テンキー１６のうち「１」が押下されたかが判断される（Ｓ２１）。「１」が押下された場合（Ｓ２１：ＹＥＳ）、Ｓ１３で表示画像と共に受信した対応画像は、表示画像が透けて見えるように、表示画像に重ねて表示される（Ｓ２３）。処理はＳ１７に戻る。テンキー１６のうち「＊」が押下された場合（Ｓ２１：ＮＯ、Ｓ２５：ＹＥＳ）、表示中の表示画像を、１ページ前の表示画像に更新するための指示が入力されている。Ｓ１３で受信した表示画像のうち、表示中の表示画像よりも１ページ前の表示画像が検索される（Ｓ２７）。検索された表示画像は、表示中の表示画像の代わりにディスプレイ１７に表示される（Ｓ２９）。処理はＳ１７に戻る。テンキー１６のうち「＃」が押下された場合（Ｓ２５：ＮＯ、Ｓ３１：ＹＥＳ）、表示中の表示画像を、１ページ後の表示画像に更新するための指示が入力されている。Ｓ１３で受信した表示画像のうち、表示中の表示画像よりも１ページ後の表示画像が検索される（Ｓ３３）。検索された表示画像は、表示中の表示画像の代わりにディスプレイ１７に表示される（Ｓ３５）。処理はＳ１７に戻る。テンキー１６のうち「３」が押下された場合（Ｓ３１：ＮＯ、Ｓ３７：ＹＥＳ）、表示中の対応画像は消去される（Ｓ３９）。ディスプレイ１７には、表示画像のみが表示された状態になる。処理はＳ１７に戻る。
【００４０】
上述以外のテンキー１６（「２」「４」〜「０」）が入力された場合（Ｓ３７：ＮＯ、Ｓ４１：ＹＥＳ）、各テンキー１６に割り当てられた関連情報が特定される。特定された関連情報を含む画像をサーバ２に要求するための要求パケットが、サーバ２に対して送信される（Ｓ４３）。処理はＳ１３に戻る。送信された要求パケットに応じ、サーバ２から返信された表示画像及び対応画像が受信され（Ｓ１３）、受信された表示画像はディスプレイ１７に表示される（Ｓ１５）。テンキー１６以外のキー（機能キー２１など）が押下された場合（Ｓ４１：ＮＯ）、処理はＳ１７に戻る。
【００４１】
なお、テンキー１６（「２」「４」〜「０」）には、内訳画像をサーバ２から取得するためのＵＲＬが予め割り当てられていてもよい。テンキー１６（「２」「４」〜「０」）が押下された場合、割り当てられているＵＲＬに対応する画像を取得するための要求パケットが、携帯端末３からサーバ２に対して送信されてもよい。
【００４２】
図１１を参照し、サーバ２のＣＰＵ２１において実行されるサーバメイン処理について説明する。サーバメイン処理は、サーバ２の電源が投入された場合に、ＣＰＵ２１において起動され実行される。
【００４３】
図１１に示すように、はじめに、携帯端末３から要求パケットを受信したかが判断される（Ｓ５１）。要求パケットを受信していない場合（Ｓ５１：ＮＯ）、処理はＳ５１に戻る。要求パケットを受信した場合（Ｓ５１：ＹＥＳ）、要求された表示画像が、ＨＤＤ２４に記憶されたデータベースから検索される（Ｓ５３）。検索された表示画像に、対応画像が関連付けられているかが判断される（Ｓ５５）。検索された表示画像に対応画像が関連付けられている場合（Ｓ５５：ＹＥＳ）、検索された表示画像がデータベースから抽出される（Ｓ５７）。抽出された表示画像に関連付けられている対応画像が、データベースから抽出される（Ｓ５９）。処理はＳ６３に進む。一方、検索された表示画像に、対応画像が関連付けられていない場合（Ｓ５５：ＮＯ）、検索された表示画像がデータベースから抽出される（Ｓ６１）。処理はＳ６３に進む。
【００４４】
Ｓ６３では、抽出された画像に基づいて、携帯端末３に対して送信するパケットが作成される（Ｓ６３）。作成されたパケットは、携帯端末３に対して送信される（Ｓ６５）。処理はＳ５１に戻る。
【００４５】
以上説明したように、携帯端末３は、表示画像と対応画像とを予めサーバ２から受信しておくことができる。従って携帯端末３は、ユーザの指示に応じて迅速に対応画像をディスプレイ１７に表示できる。、また、対応画像は表示画像に重ねて表示されるので、ユーザは、所望の表示画像を表示させるための操作内容を、対応画像を視認することで容易に確認できる。
【００４６】
なお、図８のディスプレイ１７が本発明の「表示部」に相当し、入力部２０が本発明の「入力部」に相当する。図１０のＳ１５の処理が本発明の「第一表示制御ステップ」「第三表示制御ステップ」に相当し、Ｓ２３の処理が本発明の「第二表示制御ステップ」に相当し、Ｓ２５，Ｓ３１，Ｓ３７及びＳ４１の処理が本発明の「取得ステップ」に相当し、Ｓ２９、及びＳ３５の処理が本発明の「第三表示制御ステップ」に相当し、Ｓ１３の処理が本発明の「受信ステップ」に相当する。「表示画像」が本発明の「第一コンテンツ」「第二コンテンツ」に相当する。
【００４７】
図１０のＳ１５の処理を行うＣＰＵ１１が、本発明の「第一表示制御手段」「第三表示制御手段」に相当し、Ｓ２３の処理を行うＣＰＵ１１が、本発明の「第二表示制御手段」に相当し、Ｓ２５，Ｓ３１，Ｓ３７及びＳ４１の処理を行うＣＰＵ１１が、本発明の「取得手段」に相当し、Ｓ２９、及びＳ３５の処理を行うＣＰＵ１１が、本発明の「第三表示制御手段」に相当する。
【００４８】
なお、本発明は上記実施形態に限定されるものではなく、種々の変更が可能である。本発明は携帯電話に限定されず、スマートフォンやＰＤＡであってもよい。また、情報を表示することが可能な種々の情報端末（カーナビゲーションシステムなど）であってもよい。ディスプレイ１７に表示する画像は、ネットワーク４を介してサーバ２から取得した画像に限定されず、予めフラッシュメモリ１４に記憶された画像であってもよい。
【００４９】
上述の実施形態では、携帯端末３はテンキー１６を備えていた。対応画像は、テンキー１６の配列を示していた。ユーザは、対応画像を参照することで、所望のテンキー１６を選択していた。本発明はこれに限定されない。例えば携帯端末３は、タッチパネルを備えていてもよい。ユーザは、対応画像がディスプレイ１７に表示された状態で、対応画像の一部分にタッチすることで、所望の関連情報を選択してもよい。
【００５０】
上述の実施形態では、対応画像はテンキー１６の配列を示していたが、本発明はこれに限定されない。所定の操作手順を説明する画像が、対応画像として表示されてもよい。
【００５１】
上述の実施形態では、表示画像が表示されている状態でテンキー１６が押下された場合に、対応する関連情報を含む画像を要求する要求パケットが、サーバ２に対して送信されていた。本発明はこれに限定されない。特定のテンキー１６が押下された場合、自動的に予め定められた電話番号宛に通話を開始してもよいし、予め定められたメールアドレス宛にメールを送信しても良い。
【符号の説明】
【００５２】
１      通信システム
２      サーバ
３      携帯端末
１６    テンキー
１７    ディスプレイ
３１    入力画像
３２    店名画像
３３、３５  対応画像
３４    店舗画像
３６    メニュー画像
【図１】
2012098976.tif 000003
【図２】
2012098976.tif 000004
【図３】
2012098976.tif 000005
【図４】
2012098976.tif 000006
【図５】
2012098976.tif 000007
【図６】
2012098976.tif 000008
【図７】
2012098976.tif 000009
【図８】
2012098976.tif 000010
【図９】
2012098976.tif 000011
【図１０】
2012098976.tif 000012
【図１１】
2012098976.tif 000013